(57)【特許請求の範囲】
【請求項１】
可動コンタクトを駆動する可動コンタクト駆動棒、
この可動コンタクト駆動棒が可移動に同心状に貫通する環状の投入専用コイル、
この投入専用コイルにその前記可動コンタクトの側に隣接し前記可動コンタクト駆動棒が可移動に同心状に貫通する環状の投入・遮断共用コイル、
この投入・遮断共用コイルに前記可動コンタクトの側に隣接する永久磁石、前記可動コンタクト駆動棒に装着され前記投入専用コイルおよび投入・遮断共用コイルが開閉装置投入時に付勢されると前記投入専用コイルおよび投入・遮断共用コイルの双方の電磁力により吸引されて前記投入専用コイルおよび投入・遮断共用コイル内を移動して前記永久磁石に吸着され前記可動コンタクト駆動棒を介して前記可動コンタクトを固定コンタクトに投入させる磁性の可動子、および
一端が前記可動コンタクト駆動棒に固定されるとともに他端が固定のバネ受け固定部材に固定され前記可動子の前記開閉装置投入時の移動により前記可動コンタクト駆動棒および前記バネ受け固定部材を介して圧縮されて蓄勢さる開放バネを備え、
開閉装置遮断時に投入・遮断共用コイルが前記開閉装置投入時と逆極性に付勢され、この逆極性に付勢された投入・遮断共用コイルの電磁力と前記開閉装置投入時に圧縮された前記開放バネの蓄勢放出力とにより前記可動子が前記開閉装置投入時と逆方向に移動し、この可動子の前記開閉装置投入時と逆方向の移動により前記可動コンタクト駆動棒を介して前記可動コンタクトが前記固定コンタクトから離れる遮断動作をする
開閉装置の電磁操作装置であって、
前記投入専用コイルおよび前記投入・遮断共用コイルは、前記開閉装置投入時に、投入用駆動コンデンサの放電エネルギーにより付勢され、
前記投入・遮断共用コイルは、前記開閉装置遮断時に、遮断用駆動コンデンサの放電エネルギーにより前記逆極性に付勢され、
前記投入用駆動コンデンサの静電容量が前記遮断用駆動コンデンサの静電容量より大きい
ことを特徴とする開閉装置の電磁操作装置。
【請求項２】
通電されると付勢される投入専用コイルと通電されると付勢される投入・遮断共用コイルとにより開閉装置投入を行い、前記投入・遮断共用コイルが前記開閉装置投入と逆極性
に通電されると付勢され開放バネと協働して開閉装置遮断を行う開閉装置の駆動回路であって、
開閉装置投入時に投入駆動用コンデンサの充電エネルギーを第１の投入用スイッチの第１の動作により前記投入専用コイルに供給する第１の通電回路、
開閉装置投入時に投入駆動用コンデンサの充電エネルギーを第２の投入用スイッチの第１の動作およびコイル切り替え用リレーの第１の動作により前記投入・遮断共用コイルに供給する第２の通電回路、および
開閉装置遮断時に遮断駆動用コンデンサの充電エネルギーを遮断用スイッチの第１の動作および前記コイル切り替え用リレーの第２の動作により前記投入・遮断共用コイルに前記逆極性に供給する第３の通電回路
を備えている開閉装置の駆動回路。
【請求項３】
請求項２に記載の開閉装置の駆動回路において、
前記第１の投入用スイッチの第２の動作時の第１の誘導起電力抑制用スイッチの第１の動作により前記投入専用コイルの蓄積エネルギーを減衰させる第１の減衰回路、
前記第２の投入用スイッチの第２の動作時の第２の誘導起電力抑制用スイッチの第１の動作により前記投入・遮断共用コイルの蓄積エネルギーを減衰させる第２の減衰回路、および
前記遮断用スイッチの第２の動作により、前記第２の動作状態の前記コイル切り替え用リレーを介して前記投入・遮断共用コイルの前記逆極性への供給時の蓄積エネルギーを減衰させる第３の減衰回路
を備えている
ことを特徴とする開閉装置の駆動回路。
【請求項４】
請求項３に記載の開閉装置の駆動回路において、
前記第１の減衰回路および前記第２の減衰回路は何れも直列接続された複数の電流減衰用コンデンサにより前記減衰が行われる
ことを特徴とする開閉装置の駆動回路。
【請求項５】
請求項４に記載の開閉装置の駆動回路において、
前記第１の減衰回路および前記第２の減衰回路の各々に直列接続された前記電流減衰用コンデンサに蓄積されたエネルギーは、対応する前記第１の誘導起電力抑制用スイッチの第２の動作および前記第２の誘導起電力抑制用スイッチの第２の動作により、何れも対応する前記複数の電流減衰用コンデンサに並列接続の放電抵抗により減衰される
ことを特徴とする開閉装置の駆動回路。
【請求項６】
請求項３〜請求項５の何れか一に記載の開閉装置の駆動回路において、
前記第１の通電回路、前記第２の通電回路、前記第３の通電回路、前記第１の減衰回路、前記第２の減衰回路、および前記第３の減衰回路が共通の基板上に搭載されている
ことを特徴とする開閉装置の駆動回路。 
【発明の詳細な説明】
【技術分野】
【０００１】
この発明は遮断用コイルと開放バネとにより遮断動作が行われ投入コイルによって開放バネの蓄勢及び投入動作が行われる開閉装置の電磁操作装置及び駆動回路に関するものである。
【背景技術】
【０００２】
従来、例えば特開２０１０−９２７４６号公報（特許文献１）に見られるように、遮断専用用コイルにより遮断動作し投入専用コイルによって投入動作する開閉装置の電磁操作装置及び駆動回路がある。
【先行技術文献】
【特許文献】
【０００３】
【特許文献１】特開２０１０−９２７４６号公報（図１及びその説明）
【発明の概要】
【発明が解決しようとする課題】
【０００４】
特許文献１に記載のような開閉装置の電磁操作装置及び駆動回路を使用して投入コイルによって開放バネの蓄勢及び投入動作を行わせる場合、投入専用コイルは、開放バネの蓄勢及び投入動作の双方を行うエネルギーが必要となり、大型で大きな容量の投入コイルが必要となり、投入専用コイルの蓄積エネルギーも大きくなり、蓄積エネルギーの放出時には蓄積エネルギーの減衰開始に必要なスイッチ及び蓄積エネルギーの減衰回路も大きな容量のものが必要となる。
投入専用コイルを小型にして大きな電流を投入専用コイルに流すことも考えられるが、投入専用コイルへの電流の供給遮断に必要なスイッチの容量の制約を受ける。
また、投入専用コイルの蓄積エネルギーが大きい場合は、蓄積エネルギーの減衰回路が発生するサージが蓄積エネルギーの減衰開始に必要なスイッチの耐圧を超えないようにすることも必要である。
【０００５】
この発明は、前述のような実情に鑑みてなされたもので、遮断用コイルと開放バネとにより遮断動作が行われ投入コイルによって開放バネの蓄勢及び投入動作が行われる開閉装置の電磁操作装置及び駆動回路において投入コイルを小型小容量とすることを目的とするものである。
【課題を解決するための手段】
【０００６】
この発明に係る開閉装置の電磁操作装置は、可動コンタクトを駆動する可動コンタクト駆動棒、
この可動コンタクト駆動棒が可移動に同心状に貫通する環状の投入専用コイル、
この投入専用コイルにその前記可動コンタクトの側に隣接し前記可動コンタクト駆動棒
が可移動に同心状に貫通する環状の投入・遮断共用コイル、
この投入・遮断共用コイルに前記可動コンタクトの側に隣接する永久磁石、前記可動コンタクト駆動棒に装着され前記投入専用コイルおよび投入・遮断共用コイルが開閉装置投入時に付勢されると前記投入専用コイルおよび投入・遮断共用コイルの双方の電磁力により吸引されて前記投入専用コイルおよび投入・遮断共用コイル内を移動して前記永久磁石に吸着され前記可動コンタクト駆動棒を介して前記可動コンタクトを固定コンタクトに投入させる磁性の可動子、および
一端が前記可動コンタクト駆動棒に固定されるとともに他端が固定のバネ受け固定部材に固定され前記可動子の前記開閉装置投入時の移動により前記可動コンタクト駆動棒および前記バネ受け固定部材を介して圧縮されて蓄勢さる開放バネを備え、
開閉装置遮断時に投入・遮断共用コイルが前記開閉装置投入時と逆極性に付勢され、この逆極性に付勢された投入・遮断共用コイルの電磁力と前記開閉装置投入時に圧縮された前記開放バネの蓄勢放出力とにより前記可動子が前記開閉装置投入時と逆方向に移動し、この可動子の前記開閉装置投入時と逆方向の移動により前記可動コンタクト駆動棒を介して前記可動コンタクトが前記固定コンタクトから離れる遮断動作をする
開閉装置の電磁操作装置であって、
前記投入専用コイルおよび前記投入・遮断共用コイルは、前記開閉装置投入時に、投入用駆動コンデンサの放電エネルギーにより付勢され、
前記投入・遮断共用コイルは、前記開閉装置遮断時に、遮断用駆動コンデンサの放電エネルギーにより前記逆極性に付勢され、
前記投入用駆動コンデンサの静電容量が前記遮断用駆動コンデンサの静電容量より大きい
ものである。
【０００７】
また、この発明に係る開閉装置の駆動回路は、通電されると付勢される投入専用コイルと通電されると付勢される投入・遮断共用コイルとにより開閉装置投入を行い、前記投入・遮断共用コイルが前記開閉装置投入と逆極性に通電されると付勢され開放バネと協働して開閉装置遮断を行う開閉装置の駆動回路であって、
開閉装置投入時に投入駆動用コンデンサの充電エネルギーを第１の投入用スイッチの第１の動作により前記投入専用コイルに供給する第１の通電回路、
開閉装置投入時に投入駆動用コンデンサの充電エネルギーを第２の投入用スイッチの第１の動作およびコイル切り替え用リレーの第１の動作により前記投入・遮断共用コイルに供給する第２の通電回路、および
開閉装置遮断時に遮断駆動用コンデンサの充電エネルギーを遮断用スイッチの第１の動作および前記コイル切り替え用リレーの第２の動作により前記投入・遮断共用コイルに前記逆極性に供給する第３の通電回路
を備えたものである。 
【発明の効果】
【０００８】
この発明による開閉装置の電磁操作装置は、可動コンタクトを駆動する可動コンタクト駆動棒、この可動コンタクト駆動棒が可移動に同心状に貫通する環状の投入専用コイル、
この投入専用コイルにその前記可動コンタクトの側に隣接し前記可動コンタクト駆動棒が可移動に同心状に貫通する環状の投入・遮断共用コイル、この投入・遮断共用コイルに前記可動コンタクトの側に隣接する永久磁石、前記可動コンタクト駆動棒に装着され前記投入専用コイルおよび投入・遮断共用コイルが開閉装置投入時に付勢されると前記投入専用コイルおよび投入・遮断共用コイルの双方の電磁力により吸引されて前記投入専用コイルおよび投入・遮断共用コイル内を移動して前記永久磁石に吸着され前記可動コンタクト駆動棒を介して前記可動コンタクトを固定コンタクトに投入させる磁性の可動子、および一端が前記可動コンタクト駆動棒に固定されるとともに他端が固定のバネ受け固定部材に固定され前記可動子の前記開閉装置投入時の移動により前記可動コンタクト駆動棒および前記バネ受け固定部材を介して圧縮されて蓄勢さる開放バネを備え、開閉装置遮断時に投入・遮断共用コイルが前記開閉装置投入時と逆極性に付勢され、この逆極性に付勢された投入・遮断共用コイルの電磁力と前記開閉装置投入時に圧縮された前記開放バネの蓄勢放出力とにより前記可動子が前記開閉装置投入時と逆方向に移動し、この可動子の前記開閉装置投入時と逆方向の移動により前記可動コンタクト駆動棒を介して前記可動コンタクトが前記固定コンタクトから離れる遮断動作をする開閉装置の電磁操作装置であって、前記投入専用コイルおよび前記投入・遮断共用コイルは、前記開閉装置投入時に、投入用駆動コンデンサの放電エネルギーにより付勢され、前記投入・遮断共用コイルは、前記開閉装置遮断時に、遮断用駆動コンデンサの放電エネルギーにより前記逆極性に付勢され、前記投入用駆動コンデンサの静電容量が前記遮断用駆動コンデンサの静電容量より大きいので
、遮断用コイルと開放バネとにより遮断動作が行われ投入コイルによって開放バネの蓄勢および投入動作が行われる開閉装置の電磁操作装置において投入専用コイルを小型小容量とすることができる効果がある。
【０００９】
また、この発明による開閉装置の駆動回路は、通電されると付勢される投入専用コイルと通電されると付勢される投入・遮断共用コイルとにより開閉装置投入を行い、前記投入・遮断共用コイルが前記開閉装置投入と逆極性に通電されると付勢され開放バネと協働して開閉装置遮断を行う開閉装置の駆動回路であって、開閉装置投入時に投入駆動用コンデンサの充電エネルギーを第１の投入用スイッチの第１の動作により前記投入専用コイルに供給する第１の通電回路、開閉装置投入時に投入駆動用コンデンサの充電エネルギーを第２の投入用スイッチの第１の動作およびコイル切り替え用リレーの第１の動作により前記投入・遮断共用コイルに供給する第２の通電回路、および開閉装置遮断時に遮断駆動用コンデンサの充電エネルギーを遮断用スイッチの第１の動作および前記コイル切り替え用リレーの第２の動作により前記投入・遮断共用コイルに前記逆極性に供給する第３の通電回路を備えているので、遮断用コイルと開放バネとにより遮断動作が行われ投入コイルによって開放バネの蓄勢および投入動作が行われる開閉装置の電磁操作装置において投入専用コイルを小型小容量とすることができる効果がある。
【図面の簡単な説明】
【００１０】
【図１】この発明の実施の形態１を示す図で、開閉装置投入状態における電磁操作装置の状態を例示する図である。
【図２】この発明の実施の形態１を示す図で、開閉装置遮断状態における電磁操作装置の状態を例示する図である。
【図３】この発明の実施の形態１を示す図で、開閉装置投入時の駆動回路の回路状態を例示する図である。
【図４】この発明の実施の形態１を示す図で、図３各部の動作タイミングを例示する図である。
【図５】この発明の実施の形態１を示す図で、開閉装置遮断時の駆動回路の回路状態を例示する図である。
【図６】この発明の実施の形態１を示す図で、図５各部の動作タイミングを例示する図である。
【発明を実施するための形態】
【００１１】
実施の形態１．
以下この発明の実施の形態１を図１〜図６により説明する。なお、各図中、同一符合は同一部分を示す。
【００１２】
先ず図１及び図２において、開閉装置１００は、環状の投入専用コイル１、環状の投入・遮断共用コイル２、投入用駆動コンデンサ５、遮断用駆動コンデンサ６、電磁操作機構１０１、磁性の可動子１０２、真空バルブ等の開閉器１０３、開閉器１０３の可動コンタクト１０３ｍ、開閉器１０３の固定コンタクト１０３ｓ、開放バネ１０４、永久磁石１０５、駆動回路１０６、磁性の可動子１０２が装着され移動時に可動コンタクト１０３ｍを駆動する可動コンタクト駆動棒１０７ｍ、固定コンタクト１０３ｓを支持する固定コンタクト支持棒１０７ｓ、開放バネ１０４の一端を可動コンタクト駆動棒１０７ｍに固定するバネ受け座１０８、開放バネ１０４の他端を固定するバネ受け固定部材１０９を有している。
【００１３】
電磁操作機構１０１は、投入専用コイル１、投入・遮断共用コイル２、可動子１０２、開放バネ１０４、永久磁石１０５、バネ受け座１０８、及びバネ受け固定部材１０９で構成されている。
【００１４】
開閉器１０３は、可動コンタクト１０３ｍ及び固定コンタクト１０３ｓを内蔵している。
【００１５】
図１は、開閉装置投入状態であり、可動子１０２は環状の投入・遮断共用コイル２内にあって永久磁石１０５に吸着されており、開閉器１０３の可動コンタクト１０３ｍは固定コンタクト１０３ｓに接触している。この開閉装置投入状態において、開放バネ１０４はバネ受け座１０８とバネ受け固定部材１０９との間で圧縮され蓄勢されている。
【００１６】
図２は、開閉装置遮断状態であり、可動コンタクト駆動棒１０７ｍは開放バネ１０４の蓄勢エネルギーによって図示左側に移動した状態であり、開放バネ１０４は伸長して消勢状態にあり、可動子１０２はバネ受け固定部材１０９の開放バネ１０４と反対側の面に当接した状態にあり、可動コンタクト１０３ｍは固定コンタクト１０３ｓから離間している。
【００１７】
図２の開閉装置遮断状態から図１の開閉装置投入状態への動作は、投入指令による駆動回路１０６の投入動作により、投入用駆動コンデンサ５の蓄積エネルギーが投入専用コイル１及び投入・遮断共用コイル２に供給され、両コイル１，２の電磁吸引力により可動子１０２が両コイル１，２に吸引されると共に、可動子１０２の両コイル１，２への吸引に伴う可動コンタクト駆動棒１０７ｍの図示右方向への移動（固定コンタクト側への移動）により開放バネ１０４がバネ受け座１０８を介して圧縮されて蓄勢され、可動コンタクト駆動棒１０７ｍの図示右方向への移動（固定コンタクト側への移動）により可動コンタクト１０３ｍが固定コンタクト１０３ｓに接触する。
【００１８】
図１の開閉装置投入状態から図２の開閉装置遮断状態への動作は、開閉器１０３が接続されている主回路の異常あるいは人為的操作による駆動回路１０６の投入動作により、遮断用駆動コンデンサ６の蓄積エネルギーが投入・遮断共用コイル２に前記投入時とは逆極性に供給され、この逆極性に供給されることにより投入・遮断共用コイル２に永久磁石１０５の磁界と逆極性の電磁力が発生し、この発生した逆極性の電磁力と投入時に蓄勢された開放バネ１０４の蓄勢エネルギーとによって可動子１０２は永久磁石１０５から引き離されて図示左側に移動してバネ受け固定部材１０９に当接し、この可動子１０２の移動に伴う可動コンタクト駆動棒１０７ｍの図示左側への移動により、可動コンタクト１０３ｍが固定コンタクト１０３ｓから引き離され遮断動作する。
【００１９】
つまり、開閉装置の電磁操作装置は、可動コンタクト１０３ｍを駆動する可動コンタクト駆動棒１０７ｍ、この可動コンタクト駆動棒１０７ｍが可移動に同心状に貫通する環状の投入専用コイル１、この投入専用コイル１にその前記可動コンタクト１０３ｍ側に隣接し前記可動コンタクト駆動棒１０７ｍが可移動に同心状に貫通する環状の投入・遮断共用コイル２、この投入・遮断共用コイル２に前記可動コンタクト１０３ｍ側に隣接する永久磁石１０５、前記可動コンタクト駆動棒１０７ｍに装着され前記投入専用コイル１及び投入・遮断共用コイル２が開閉装置投入時に付勢されると前記投入専用コイル１及び投入・遮断共用コイル２の双方の電磁力により吸引されて前記投入専用コイル１及び投入・遮断共用コイル２内を移動して前記永久磁石１０５に吸着され前記可動コンタクト駆動棒１０７ｍを介して前記可動コンタクト１０３ｍを固定コンタクト１０３ｓに投入させる磁性の可動子１０２、及び一端が前記可動コンタクト駆動棒１０７ｍに固定されるとともに他端が固定のバネ受け固定部材１０９に固定され前記可動子１０２の前記開閉装置投入時の移動により前記可動コンタクト駆動棒１０７ｍ及び前記バネ受け固定部材１０９を介して圧縮されて蓄勢さる開放バネ１０４を備え、開閉装置遮断時に投入・遮断共用コイル２が前記開閉装置投入時と逆極性に付勢され、この逆極性に付勢された投入・遮断共用コイル２の電磁力と前記投入時に圧縮された前記開放バネ１０４の蓄勢放出力とにより前記可動子１０２が前記投入時と逆方向に移動し、この可動子１０２の前記投入時と逆方向の移動により前記可動コンタクト駆動棒１０７ｍを介して前記可動コンタクト１０３ｍが前記固定コンタクト１０３ｓから離れる遮断動作をする。
【００２０】
また、前記投入専用コイル１及び前記投入・遮断共用コイル２は、前記開閉装置投入時に、投入用駆動コンデンサ５の放電エネルギーにより付勢され、前記投入・遮断共用コイル２は、前記開閉装置遮断時に、遮断用駆動コンデンサ６の放電エネルギーにより前記逆極性に付勢される。
【００２１】
また、開閉装置投入時には、投入用駆動コンデンサ５の蓄積エネルギーが投入専用コイル１及び投入・遮断共用コイル２に供給され、両コイル１，２の電磁吸引力により可動子１０２が両コイル１，２に吸引されると共に、可動子１０２の両コイル１，２への吸引に伴う可動コンタクト駆動棒１０７ｍの図示右方向への移動（固定コンタクト側への移動）により開放バネ１０４がバネ受け座１０８を介して圧縮されて蓄勢される構成とし、更に、、開閉装置遮断時には、遮断用駆動コンデンサ６の蓄積エネルギーが投入・遮断共用コイル２に前記投入時とは逆極性に供給され、この逆極性に供給されることにより投入・遮断共用コイル２に永久磁石１０５の磁界と逆極性の電磁力が発生し、この発生した逆極性の電磁力と投入時に蓄勢された開放バネ１０４の蓄勢エネルギーとによって可動子１０２が永久磁石１０５から引き離される構成としたので、投入用駆動コンデンサ５は、その静電容量が前記遮断用駆動コンデンサ６の静電容量より大きいものとしてある。
【００２２】
次に、図３及び図５について説明する。図３及び図５の回路は、投入専用コイル１、投入・遮断共用コイル２、コイル切り替え用リレー３，４、投入用駆動コンデンサ５、遮断用駆動コンデンサ６、第１の投入用スイッチ７、第２の投入用スイッチ８、遮断用スイッチ９、ダイオード１０，１１，２７、電流減衰用抵抗１２，１３，２６、電流減衰用コンデンサ１４，１５，１６，１７、コンデンサ分圧用抵抗１８，１９，２０，２１、第１の誘導起電力抑制用スイッチ２２、第２の誘導起電力抑制用スイッチ２３、放電抵抗２４，２５、及び前記各スイッチ７，８，９，２２，２３及びコイル切り替え用リレー３，４の動作シーケンスが設定された制御回路２８を図示のように接続することにより構成されている。
【００２３】
なお、コイル切り替え用リレー３，４、第１の投入用スイッチ７、第２の投入用スイッチ８、遮断用スイッチ９、ダイオード１０，１１，２７、電流減衰用抵抗１２，１３，２６、電流減衰用コンデンサ１４，１５，１６，１７、コンデンサ分圧用抵抗１８，１９，２０，２１、第１の誘導起電力抑制用スイッチ２２、第２の誘導起電力抑制用スイッチ２３、放電抵抗２４，２５、及び制御回路２８は共通の基板上に搭載されている。
【００２４】
図５の遮断時の回路状態から図３の投入時の回路状態への投入動作は、制御回路２８の動作シーケンス基づく制御信号により、次のように行われる。
投入用駆動コンデンサ５から投入専用コイル１、投入・遮断共用コイル２へエネルギーを供給するため、コイル切り替え用リレー３,４を接点Ａ側に動作させ、第１及び第２の投入用スイッチ７,８をＯＮ動作させ、その直後に第１及び第２の誘導起電力抑制用スイッチ２２,２３をＯＮ動作させる。
投入動作完了後、第１及び第２の投入用スイッチ７,８をＯＦＦ動作させ、投入用駆動コンデンサ５から投入専用コイル１、投入・遮断共用コイル２へのエネルギー供給を停止する。
投入用駆動コンデンサ５から投入専用コイル１、投入・遮断共用コイル２へのエネルギー供給停止後、電磁エネルギーとして投入専用コイル１、投入・遮断共用コイル２に蓄積されているエネルギーは、電流エネルギーとなりダイオード１０,１１を通過し、電流減衰用抵抗１２,１３で減衰し、電流減衰用コンデンサ１４,１５,１６,１７に蓄積される。
投入専用コイル１、投入・遮断共用コイル２に蓄積されていたエネルギーが電流減衰用コンデンサ１４,１５,１６,１７に移行したのち、誘導起電力抑制用スイッチがＯＦＦ動作させられ、電流減衰用コンデンサ１４,１５,１６,１７に蓄積されたエネルギーは、放電抵抗２４,２５によって徐々に減衰する。
【００２５】
以上の投入動作時の（１）コイル切り替えようリレー３,４の動作タイミング、（２）第１及び第２の投入用スイッチ７,８の動作タイミング、（３）第１及び第２の誘導起電力抑制用スイッチ２２,２３の動作タイミング、及び（４）遮断用スイッチ９の動作タイミングは図４に例示してある。
【００２６】
図３の投入時の回路状態から図５の遮断時の回路状態への遮断動作は、制御回路２８の動作シーケンス基づく制御信号により、次のように行われる。
遮断用駆動コンデンサ６から投入・遮断共用コイル２へエネルギーを供給するため、コイル切り替え用リレー３,４を接点Ｂ側に復帰させ、遮断用スイッチ９をＯＮ動作させる。
遮断動作完了後、遮断用スイッチ９をＯＦＦ動作させ、遮断用駆動コンデンサ６から投入・遮断共用コイル２へのエネルギー供給を停止する。
遮断用駆動コンデンサ６から投入・遮断共用コイル２へのエネルギー供給停止後、電磁エネルギーとして投入・遮断共用コイル２に蓄積されているエネルギーは、電流エネルギーとなる。電流エネルギーは、投入・遮断共用コイル２とダイオード２７と電流減衰用抵抗２６で形成されるループ回路にて減衰する。
【００２７】
以上の遮断動作時の（１）コイル切り替えようリレー３,４の動作タイミング、（２）第１及び第２の投入用スイッチ７,８の動作タイミング、（３）第１及び第２の誘導起電力抑制用スイッチ２２,２３の動作タイミング、及び（４）遮断用スイッチ９の動作タイミングは図６に例示してある。
【００２８】
なお、図３及び図５において、投入専用コイル１に直列接続された第１の投入用スイッチ７の回路により第１の通電回路が形成されている。
また、投入・遮断共用コイル２にコイル切り替え用リレー４を介して直列接続された第２の投入用スイッチ８の回路により第２の通電回路が形成されている。
また、投入・遮断共用コイル２にコイル切り替え用リレー３，４を介して直列接続された遮断用スイッチ９の回路により第３の通電回路が形成されている。
【００２９】
また、図３及び図５において、投入専用コイル１に直列接続され第１の投入用スイッチ７に並列接続された、ダイオード１０と電流減衰用抵抗１２と電流減衰用コンデンサ１４，１６と第１の誘導起電力抑制用スイッチ２２との直列接続回路により第１の減衰回路が構成されている。
また、投入・遮断共用コイル２にコイル切り替え用リレー３，４を介して直列接続され第２の投入用スイッチ８に並列接続された、ダイオード１１と電流減衰用抵抗１３と電流減衰用コンデンサ１５，１７と第２の誘導起電力抑制用スイッチ２３との直列接続回路により第２の減衰回路が構成されている。
また、投入・遮断共用コイル２にコイル切り替え用リレー３，４を介して直列接続され遮断用スイッチ９に並列接続された、ダイオード２７と電流減衰用抵抗２６との直列接続回路により第３の減衰回路が構成されている。
【００３０】
また、第１の減衰回路の直列接続の電流減衰用コンデンサ１４，１６に蓄積されたエネルギーは、対応する前記第１の誘導起電力抑制用スイッチ２２の第２の動作（ＯＦＦ動作）によって、コンデンサ１４，１６に並列接続の放電抵抗２４により減衰される。
【００３１】
また、第２の減衰回路の直列接続の電流減衰用コンデンサ１５，１７に蓄積されたエネルギーは、対応する前記第２の誘導起電力抑制用スイッチ２３の第２の動作（ＯＦＦ動作）によって、コンデンサ１５，１７に並列接続の放電抵抗２５により減衰される。
【００３２】
つまり、前述の開閉装置の駆動回路は、通電されると付勢される投入専用コイル１と通電されると付勢される投入・遮断共用コイル２とにより開閉装置投入を行い、前記投入・遮断共用コイル２が前記開閉装置投入と逆極性に通電されると付勢され開放バネ１０４（図１，２参照）と協働して開閉装置遮断を行う開閉装置の駆動回路であって、開閉装置投入時に投入駆動用コンデンサ５の充電エネルギーを第１の投入用スイッチ７の第１の動作により前記投入専用コイル１に供給する第１の通電回路、開閉装置投入時に投入駆動用コンデンサ５の充電エネルギーを第２の投入用スイッチ８の第１の動作及びコイル切り替え用リレー３，４の第１の動作により前記投入・遮断共用コイル２に供給する第２の通電回路、及び開閉装置遮断時に遮断駆動用コンデンサ６の充電エネルギーを遮断用スイッチ９の第１の動作及び前記コイル切り替え用リレー３，４の第２の動作により前記投入・遮断共用コイル２に前記逆極性に供給する第３の通電回路を備えているものである。
【００３３】
特許文献１の場合、抵抗とコイルの時定数で電磁エネルギーの消費速度が決定する。そのため抵抗を大きくすれば消費速度は向上するが、抵抗を大きくすることで発生するサージが大きくなるため、スイッチ素子の耐圧以上となるサージが発生する抵抗を選定することはできない。本実施の形態の回路ではコンデンサ１４，１６、１５，１７と投入専用コイル１の時定数でエネルギーの消費速度が決定する。コンデンサ１４，１６、１５，１７の容量で時定数を調整した場合においても、発生するサージは変化しないため、投入専用コイル１に貯えられたエネルギーの消費にコンデンサを用いることでエネルギー消費速度を向上することができた。
また、本本実施の形態では特許文献１の課題でもある投入専用コイル１に流す電流を投入用駆動コンデンサ５からコイルへ流すエネルギー制御を行うスイッチの性能以上にすることはできないというスイッチ性能限界については、投入側の回路を第１の通電回路と第１の減衰回路及び第２の通電回路と第２の減衰回路で構成し二重化することにより、各回路におけるスイッチへの負担を抑制することができた。
【符号の説明】
【００３４】
１    投入専用コイル、
２    投入・遮断共用コイル、
３，４    コイル切り替え用リレー、
５    投入用駆動コンデンサ、
６    遮断用駆動コンデンサ、
７    第１の投入用スイッチ、
８    第２の投入用スイッチ、
９    遮断用スイッチ、
１０，１１，２７    ダイオード、
１２，１３，２６    電流減衰用抵抗、
１４，１５，１６，１７    電流減衰用コンデンサ、
１８，１９，２０，２１    コンデンサ分圧用抵抗、
２２    第１の誘導起電力抑制用スイッチ、
２３    第２の誘導起電力抑制用スイッチ、
２４，２５    放電抵抗、
２８    制御回路、
１００    開閉装置、
１０１    電磁操作機構、
１０２    可動子、
１０３    開閉器、
１０３ｍ    可動コンタクト、
１０３ｓ    固定コンタクト、
１０４    開放バネ、
１０５    永久磁石、
１０６    駆動回路、
１０７ｍ    可動コンタクト駆動棒、
１０７ｓ    固定コンタクト支持棒、
１０８    バネ受け座、
１０９    バネ受け固定部材。
【図１】
0005606304.tif 000002
【図２】
0005606304.tif 000003
【図３】
0005606304.tif 000004
【図５】
0005606304.tif 000005
【図４】
0005606304.tif 000006
【図６】
0005606304.tif 000007